(57)【要約】      （修正有）【課題】使用者の手に装着されるように環状に構成されると共に、携帯性を損なうことなく、従来製品と比較して、より多くの埃を除去できる携帯用使い捨て埃取り具を提供する。【解決手段】両方の主面の各々に粘着層が形成された矩形又は略矩形のベースシート体を環状にした埃取り具１０である。埃取り具１０の表側及び裏側は、剥離可能な保護層２３ａ，２３ｂで覆われている。一対の折り目１１ａ，１１ｂが形成されていることで、埃取り具１０は、カード状に押し潰し可能である。一方の折り目１１ａの両側にある領域を部分的に残して、表側の保護層２３ａは剥離可能に構成されている。折り目１１ａに沿って埃取り具１０を裂いた後、表側の保護層２３ａの折り目１１ａの両側にあった領域を剥離し、これら領域に覆われていた粘着層どうしを接着することで、表と裏が反転した状態で再度環状に構成される。【選択図】図１
0003187306.tif 000002
【実用新案登録請求の範囲】
【請求項１】
両方の主面の各々に粘着層が形成された矩形又は略矩形のベースシート体を環状にした携帯用使い捨て埃取り具であって、
前記埃取り具の表側及び裏側は、剥離可能な保護層で覆われており、
幅方向に沿った一対の折り目が形成されていることで、前記埃取り具は、カード状に押し潰し可能であり、
前記一方の折り目の両側にある領域を部分的に残して、表側の保護層は剥離可能に構成されている埃取り具。
【請求項２】
前記一方の折り目に沿って前記埃取り具を裂いた後、前記一方の折り目の両側にあった前記表側の保護層の領域を剥離し、剥離した領域に覆われていた粘着層どうしを接着することで、表と裏が反転した状態で再度環状に構成される、請求項１に記載の埃取り具。
【請求項３】
前記表側の保護層の他方の折り目の両側にある領域は、前記他方の折り目を境にして別個に剥離できる、請求項１又は請求項２に記載の埃取り具。
【請求項４】
裏側の保護層の他方の折り目の両側にある領域は、前記他方の折り目を境にして別個に剥離できる、請求項１乃至３の何れかに記載の埃取り具。
【請求項５】
請求項１乃至４の何れかに記載の埃取り具を作製するのに使用されるベースシート体であって、
前記ベースシート体の両面の粘着層は、剥離可能な第１保護シート部と第２保護シート部で夫々覆われており、
前記ベースシート体の一端側にて、前記第１保護シート部を部分的に剥離し、前記ベースシート体の前記一端側又は他端側にて、前記第２保護シート部を部分的に剥離し、露出した粘着層どうしを接合するベースシート体。
【請求項６】
前記第１保護シート部は、前記一方の折り目の両側にある領域に対応した部分的に剥離可能な領域を有している、請求項５に記載のベースシート体。
【考案の詳細な説明】
【技術分野】
【０００１】
本考案は、衣服などに付着した埃や塵などを除去する携帯用使い捨て埃取り具に関する。
【背景技術】
【０００２】
衣服、ソファーやカーペットなどに付着した埃や塵などを除去する携帯用使い捨て埃取り具として、粘着層が形成されたベースシート体を有するものが、従来より広く使用されている。このような使い捨て埃取り具の中には、使い勝手を向上させるべく、使用者の手に装着されるように構成されたものが存在している。
【０００３】
例えば、実開平５−２１８６５号には、表面に粘着層を有する無端ベルト状のベースシート体と、当該ベースシート体の表面に張り合わされた保護シートとからなり、ベースシート体及び保護シートの押圧収納状態がカード型となるように構成し、ベースシート体に指を挿入すると共に、保護シートをその一端部から剥離してベースシート体の粘着層に塵埃を付着させるカード型埃除去具が開示されている(特許文献１)。
【０００４】
実開平６−１３６７６１号には、樹脂材等からなり手を挿入可能な開口を有する袋部として形成した本体と、この本体の両面又は少なくてもいずれかの一面に塗布した粘着剤と、この粘着剤の上面に剥離可能として配置した剥離紙とを具備した携帯用ほこり取り具が開示されている(特許文献２)。
【０００５】
特開平１０−２１１１５８号には、シート本体の一面に形成された粘着面に着離可能に剥離シートが設けられているとともに、シート本体のもう一方の面には密接状態に表面シートが重ねられてその両端部が接着されて設けられており、シート本体と表面シートとを離反させることにより手指の挿入可能な筒状体に変形するシート状塵取り具が開示されている(特許文献３)。
【先行技術文献】
【特許文献】
【０００６】
【特許文献１】実開平５−２１８６５号
【特許文献２】実開平６−１３７６１号
【特許文献３】特開平１０−２１１１５８号
【考案の概要】
【考案が解決しようとする課題】
【０００７】
使い捨て埃取り具の使用寿命を長くするためには、埃取り具によって除去できる埃や塵を、できるだけ多くすることが好ましい。しかしながら、このために埃取り具の粘着面の面積を大きくすると、埃取り具が大きくなって、携帯性を悪化させてしまう。
【０００８】
本考案は、上記の問題を解決するものであって、使用者の手に装着されるように環状に構成されると共に、携帯性を損なうことなく、従来製品と比較してより多くの埃や塵を除去できる携帯用使い捨て埃取り具を提供する。
【課題を解決するための手段】
【０００９】
本考案の携帯用使い捨て埃取り具は、両方の主面の各々に粘着層が形成された矩形又は略矩形のベースシート体を環状にした携帯用使い捨て埃取り具であって、前記埃取り具の表側及び裏側は、剥離可能な保護層で覆われており、幅方向に沿った一対の折り目が形成されていることで、前記埃取り具は、カード状に押し潰し可能であり、前記一方の折り目の両側にある領域を部分的に残して、表側の保護層は剥離可能に構成されている。
【００１０】
本考案の携帯用使い捨て埃取り具は、前記一方の折り目に沿って前記埃取り具を裂いた後、前記一方の折り目の両側にあった前記表側の保護層の領域を剥離し、剥離した領域に覆われていた粘着層どうしを接着することで、表と裏が反転した状態で再度環状に構成される。
【００１１】
本考案の携帯用使い捨て埃取り具では、前記表側の保護層の他方の折り目の両側にある領域は、前記他方の折り目を境にして別個に剥離できてよい。
【００１２】
本考案の携帯用使い捨て埃取り具では、裏側の保護層の他方の折り目の両側にある領域は、前記他方の折り目を境にして別個に剥離できてよい。
【００１３】
本考案のベースシート体は、上述した本考案の埃取り具を作製するのに使用されるベースシート体であって、前記ベースシート体の両面の粘着層は、剥離可能な第１保護シート部と第２保護シート部で夫々覆われており、前記ベースシート体の一端側にて、前記第１保護シート部を部分的に剥離し、前記ベースシート体の前記一端側又は他端側にて、前記第２保護シート部を部分的に剥離し、露出した粘着層どうしを接合する。
【００１４】
本考案のベースシートでは、前記第１保護シート部は、前記一方の折り目の両側にある領域に対応した部分的に剥離可能な領域を有している。
【考案の効果】
【００１５】
本考案の携帯用使い捨て埃取り具は、一方の主面の各々に粘着層が形成された矩形又は略矩形のベースシート体を環状にして形成されており、埃取り具の表側及び裏側は、剥離可能な保護層で覆われている。一方の折り目の両側にある領域を部分的に残して表側の保護層を剥離することで、粘着層の露出した部分を用いて衣服などの埃や塵が取り除かれる。
【００１６】
粘着層の露出部分の粘着力が低下すると、一方の折り目に沿って埃取り具を裂いた後、表側の保護層の部分的に残されていた領域を剥離する。そして、これらの領域に覆われていた粘着層どうしを接着することで、埃取り具は、表と裏が反転した状態で再度環状に構成される。これにより、裏側に位置していた粘着層を用いて埃や塵が取り除くことが可能となる。このようにして、本考案によれば、上記の特許文献に開示されているような従来製品とほぼ同じ大きさで、従来製品と比較して約２倍の量の埃や塵を取り除くことができる。
【図面の簡単な説明】
【００１７】
【図１】本考案の実施例の埃取り具の斜視図である。
【図２】図２(ａ)及び図２(ｂ)は、本考案の実施例の埃取り具を作製するのに使用されるベースシート体の平面図及び底面図である。
【図３】図３は、長手方向に沿って破断した図２のベースシート体の断面図である。
【図４】図４(ａ)及び図４(ｂ)は、本考案の実施例の埃取り具の使用方法を模式的に説明する説明図である。
【図５】本考案の実施例の埃取り具の斜視図である。
【図６】図６は、本考案の実施例の埃取り具の使用方法を模式的に説明する説明図である。
【図７】再構成後における本考案の実施例の埃取り具の斜視図である。
【図８】図８(ａ)及び図８(ｂ)は、本考案の実施例の埃取り具の使用方法を模式的に説明する説明図である。
【図９】図９(ａ)及び図９(ｂ)は、本考案の第２実施例に係るベースシート体の平面図及び底面図である。
【図１０】図１０は、長手方向に沿って破断した図９のベースシート体の断面図である。
【考案を実施するための形態】
【００１８】
本考案の携帯用使い捨て埃取り具を、図を用いて詳細に説明する。図１は、本考案の一実施例である携帯用使い捨て埃取り具(10)の斜視図である。埃取り具(10)は、粘着層が形成された矩形のベースシート体を環状にすることで構成されており、埃取り具(10)の内側に３本程度の指(図１にて１点鎖線で示す。他の図においても同様)を挿入することで、使用者の手に装着される。埃取り具(10)の表側及び裏側は、剥離可能な保護層で覆われている。
【００１９】
埃取り具(10)には、幅方向に沿った一対の折り目(11a)(11b)が、周方向に埃取り具(10)を２分するように形成されている。それら折り目(11a)(11b)で画定された２つの部分どうしが合わさるようにカード状に押し潰すことで、埃取り具(10)は、携帯に適した形態にされる。
【００２０】
図２(ａ)及び図２(ｂ)は、図１に示す埃取り具(10)を作製するのに使用されるベースシート体(20)の平面図及び底面図を夫々示しており、図３は、長手方向に沿って破断したベースシート体(20)の断面図を示している。埃取り具(10)が使い捨てであることから、ベースシート体(20)は、紙で形成されるのが好ましい。しかしながら、本考案の作用効果が得られる限りにおいて、ベースシート体(20)の材質は限定されず、例えば合成樹脂が使用されてもよい。なお、ベースシート体(20)の引き裂き強度は、人が折り目(11a)に沿って埃取り具(10)を裂くことが可能な大きさになっている。
【００２１】
ベースシート体(20)は、両方の主面、つまり上面及び下面を覆う粘着層(21a)(21b)を備えている。粘着層(21a)(21b)を形成するために使用される粘着剤は、衣服などの埃や塵を付着させるのに適したものであればよく、例えば、アクリル系やポリイソブチレン系粘着剤が、粘着層(21a)(21b)を形成するために使用されてよい。
【００２２】
ベースシート体(20)の上面側の粘着層(21a)には矩形の第１保護シート部(23a)が、下面側の粘着層(21b)には矩形の第２保護シート部(23b)が貼着されている。第１及び第２保護シート部(23a)(23b)は、粘着層(21a)(21b)に剥離可能に貼着されている。本実施例では、第１及び第２保護シート部(23a)(23b)の各々は、紙や合成樹脂などで形成された基材と、基材の一方の主面に剥離剤をコーティングすることで形成された付着層とを備えている１枚のシート状の部材で構成されている。剥離剤で形成された付着層を、粘着層(21a)(21bと接触させることで、第１及び第２保護シート部(23a)(23b)は剥離可能に貼着される。剥離剤には、例えば、一般的なシリコーン系の剥離剤が使用される。
【００２３】
ベースシート体(20)の上面側の第１保護シート部(23a)は、主として、本考案における埃取り具(10)の表側の保護層を構成する。図２(ａ)に示すように、ベースシート体(20)の上面側の第１保護シート部(23a)は、幅方向に沿って形成された４本のミシン目(25a-d)によって、５つの領域に区分されている。符号１−１で示した領域は、第１保護シート部(23a)の一方の端部に位置しており、ベースシート体(20)を環状にして、図１に示した埃取り具(10)を得る際に取り除かれる。符号２及び符号３で示した領域は夫々、埃取り具(10)を用いて、衣服などに付着した埃や塵などを除去する際に取り除かれる。符号４−１及び符号４−２で示した領域は、後述するように、表と裏を反転させて埃取り具(10)を再構成する際に取り除かれる。
【００２４】
ベースシート体(20)の下面側の第２保護シート部(23b)は、主として、本考案における埃取り具(10)の裏側の保護層を構成する。図２(ｂ)に示すように、ベースシート体(20)の下面側の第２保護シート部(23b)は、幅方向に沿って形成された２本のミシン目(27a-b)によって、３つの領域に区分されている。符号１−２で示した領域は、第１保護シート部(23a)の他方の端部に位置しており、ベースシート体(20)を環状にして埃取り具(10)を得る際に取り除かれる。符号５及び符号６で示した領域は夫々、後述するように再構成された埃取り具(10)を用いて、衣服などに付着した埃や塵などを除去する際に取り除かれる。
【００２５】
第１保護シート部(23a)と第２保護シート部(23b)の幅及び長さは、ベースシート体(20)の幅及び長さと同じにされている。本実施例では、第１保護シート部(23a)の領域１−１、４−１及び４−２と、第２保護シート部(23b)の領域１−２とは、(ベースシート体(20)の長手方向に沿った)同じ長さＬ１にされている。第１保護シート部(23a)の領域２及び領域３は、同じ長さＬ２にされている。第２保護シート部(23b)の領域５及び領域６は、同じ長さＬ１＋Ｌ２にされている。例えば、長さＬ１は、７〜１０ｍｍ程度にされ、長さＬ２は、長さＬ１の７〜１０倍程度の値にされてよい。
【００２６】
図３に示すように、第１保護シート部(23a)のミシン目(25b)の直下に、第２保護シート部(23b)のミシン目(27b)が配置されており、第１保護シート部(23a)のミシン目(25d)の直下に、第２保護シート部(23b)のミシン目(27a)が配置されている。そして、第１保護シート部(23a)の領域４−１の下方に、第２保護シート部(23b)の領域１−２が配置され、第１保護シート部(23a)の領域２及び領域３の下方に、第２保護シート部(23b)の領域５及び領域６が夫々配置されている。図３は、ベースシート体(20)の断面図を模式的に示したものであり、ベースシート体(20)、粘着層(21a)(21b)、第１及び第２保護シート部(23a)(23b)の厚さは、説明上、強調されて大きく図示されていることに留意のこと。
【００２７】
ベースシート体(20)を用いて埃取り具(10)を作製する工程は、例えば、以下の通りである。まず、第１保護シート部(23a)の領域１−１と、第２保護シート部(23b)の領域１−２とを取り除いて、粘着層(21a)(21b)を部分的に露出させる。そして、ベースシート体(20)を曲げて、第１保護シート部(23a)の領域１−１の下にあった粘着層(21a)の領域と、第２保護シート部(23b)の領域１−２の下にあった粘着層(21b)の領域とを貼り合わせて、接合する。次に、第１保護シート部(23a)のミシン目(25d)(又は第２保護シート部(23b)のミシン目(27a))に沿ってベースシート体(20)に折り目(11a)を付け、さらに、第１保護シート部(23a)のミシン目(25b)(又は第２保護シート部(23b)のミシン目(27b))に沿ってベースシート体(20)に折り目(11b)を付けることで、埃取り具(10)が完成する。折り目(11a)(11b)は、第１保護シート部(23a)が山側となるように付けられる。第１保護シート部(23a)の領域２と領域３は、ミシン目(25b)、つまり折り目(11b)を境にして別個に剥離できる。第２保護シート部(23b)の領域５と領域６は、ミシン目(27b)、つまり折り目(11b)を境にして別個に剥離できる。なお、説明した上記の工程の順序は、変更されてよい。
【００２８】
次に、埃取り具(10)の使用方法について説明する。まず、図１に示すように、埃取り具(10)の内側に複数の指を挿入することで、第１保護シート部(23a)の領域２が手のひら側に配置されるように、埃取り具(10)が手に装着される。次に、図４(ａ)に示すように、第１保護シート部(23a)の領域２を取り除くことで、当該領域２の下にある粘着層(21a)の領域を露出させる。そして、粘着層(21a)の露出部分を、手入れ対象である衣服、ソファーやカーペットなどの表面に押し当てることで、手入れ対象に付着していた埃や塵を、粘着層(21a)に付着させる。
【００２９】
手入れ対象への押し当てを繰り返すことで、第１保護シート部(23a)の領域２の下にあった粘着層(21a)の領域の粘着力が低下し、当該領域が埃などを十分に付着できなくなると、図５に示すように、第１保護シート部(23a)の領域３が手のひら側に配置されるように、埃取り具(10)が手に装着される。次に、図４(ｂ)に示すように、第１保護シート部(23a)の領域３を取り除くことで、当該領域３の下にある粘着層(21a)の領域を露出させる。そして、粘着層(21a)の露出部分が、手入れ対象に繰り返し押し当てられる。
【００３０】
第１保護シート部(23a)の領域２及び領域３が取り除かれると、埃取り具(10)の表側には、折り目(11a)の両側にある第１保護シート部(23a)の領域４−１と領域４−２とが残される。領域４−１と領域４−２は、ミシン目(25d)で区分されており、そのミシン目(25d)に沿って一方の折り目(11a)が形成されている。手入れ対象への押し当てを繰り返すことで、第１保護シート部(23a)の領域３の下にあった粘着層(21a)の領域の粘着力が低下し、当該領域が埃などを十分に付着できなくなると、図６に示すように、折り目(11a)に沿って埃取り具(10)を裂いて帯状にした後、第１保護シート部(23a)の領域４−１と領域４−２を取り除く。そして、帯状にされた埃取り具(10)を曲げて、第１保護シート部(23a)の領域４−１の下にあった粘着層(21a)の領域と、領域４−２の下にあった粘着層(21a)の領域とを貼り合わせて、接合する。そして、折り目(11b)の両側の部分に力を加えて、第２保護シート部(23b)が山側になるように折り目(11b)を再形成することで、図７に示すように埃取り具(10)が再構成される。折り目(11b)の両側の部分が合わさるように、カード状に押し潰すことで、再構成された埃取り具(10)も、携帯に適した形態にされる。
【００３１】
再構成された埃取り具(10)の内側に指を挿入することで、図７に示すように、第２保護シート部(23b)の領域５が手のひら側に配置されるように、埃取り具(10)が手に装着される。次に、図８(ａ)に示すように、第２保護シート部(23b)の領域５を取り除くことで、当該領域５の下にある粘着層(21b)の領域を露出させる。そして、粘着層(21b)の露出部分を、手入れ対象の表面に押し当てることで、手入れ対象に付着していた埃や塵が、粘着層(21b)に付着する。
【００３２】
手入れ対象への押し当てを繰り返すことで、第２保護シート部(23b)の領域５の下にあった粘着層(21b)の領域の粘着力が低下し、当該領域が埃などを十分に付着できなくなると、第２保護シート部(23b)の領域６が手のひら側に配置されるように、埃取り具(10)が手に装着される。次に、図８(ｂ)に示すように、第２保護シート部(23b)の領域６を取り除くことで、当該領域６の下にある粘着層(21b)の領域を露出させる。そして、粘着層(21b)の露出部分が、手入れ対象に繰り返し押し当てられる。第２保護シート部(23b)の領域６の下にある粘着層(21b)の領域の粘着力が低下して、当該領域が埃などを十分に付着できなくなると、埃取り具(10)は廃棄される。
【００３３】
説明した埃取り具(10)の使用方法は、あくまで一例であって、例えば、第１保護シート部(23a)の領域３に保護されていた粘着層(21a)の領域を使用した後に、領域２に保護されていた粘着層(21a)の領域が使用されてよい。また、第２保護シート部(23b)の領域６に保護されていた粘着層(21b)の領域を使用した後に、領域５に保護されていた粘着層(21b)の領域が使用されてよい。
【００３４】
埃取り具(10)から除去された第１保護シート部(23a)の領域２は、領域２に保護されていた粘着層(21a)の領域に十分に付着力がある状態にて、埃取り具(10)の使用を中断又は終了する場合には、粘着層(21a)の領域に戻されてよい。第１保護シート部(23a)の領域３、第２保護シート部(23b)の領域５及び領域６についても同様である。
【００３５】
埃取り具(10)から除去された第１保護シート部(23a)の領域２及び領域３は、これら領域に保護されていた粘着層(21a)の領域の使用が完了した後に、或いは、埃取り具(10)の表裏を反転させる際に、当該粘着層(21a)の領域に戻されてもよい(ある程度の付着力が残っている場合には、可能である)。これによって、図７に示すように、再構成後の埃取り具(10)を手に装着した場合にて、使用後の粘着層(21a)が、使用者の指に直接接触しなくなる。また、カード状にして携帯する又は保管する場合にて、残存していた粘着力で、第１保護シート部(23a)の領域２及び領域３に保護されていた粘着層(21a)の領域が引っ付く事態が防止される(しかしながら、仮に、引っ付いたとしても、粘着力が小さいことから、再構成後の埃取り具(10)の使用には問題を生じない)。
【００３６】
ベースシート体(20)の折り目(11a)が形成される箇所には、つまり、ミシン目(25d)及びミシン目(27a)に沿って、ミシン目が形成されていてもよい。これにより、埃取り具(10)を裂くことが容易になる。
【００３７】
図９(ａ)及び図９(ｂ)は、本考案の第２実施例である埃取り具を作製するのに使用されるベースシート体(20)の平面図及び底面図である。図１０は、長手方向に沿って破断した図９のベースシート体(20)の断面図である。
【００３８】
図９(ａ)に示すように、ベースシート体(20)の上面側の第１保護シート部(23a)は、幅方向に沿って形成された４本のミシン目(25a-d)によって、５つの領域に区分されている。符号１−１で示した領域は、ベースシート体(20)の一方の端部側に位置しており、ベースシート体(20)を環状にして埃取り具を得る際に取り除かれる。符号２及び３で示した領域は夫々、埃取り具を用いて、衣服などに付着した埃や塵などを除去する際に取り除かれる。符号４−１及び４−２で示した領域は夫々、表裏を反転させて埃取り具を再構成する際に取り除かれる。
【００３９】
図９(ｂ)に示すように、ベースシート体(20)の下面側の第２保護シート部(23b)は、幅方向に沿って形成された３本のミシン目(27b-d)によって、３つの領域に区分されている。符号１−２で示した領域は、ベースシート体(20)の一方の端部側に位置しており、ベースシート体(20)を環状にして埃取り具を得る際に取り除かれる。符号５及び６で示した領域は夫々、再構成した埃取り具を用いて、衣服などに付着した埃や塵などを除去する際に取り除かれる。なお、ミシン目(27a)は、埃取り具を裂くことが容易になるように形成されている。
【００４０】
図１０に示すように、第１保護シート部(23a)のミシン目(25a)の直下に、第２保護シート部(23b)のミシン目(27d)が配置されており、第１保護シート部(23a)のミシン目(25b)の直下に、第２保護シート部(23b)のミシン目(27c)が配置されている。さらに、第１保護シート部(23a)のミシン目(25c)及びミシン目(25d)の直下に、第２保護シート部(23b)のミシン目(27b)及びミシン目(27a)が夫々配置されている。そして、第１保護シート部(23a)の領域４−１の下方に、第２保護シート部(23b)の領域１−２が配置され、第１保護シート部(23a)の領域２及び領域３の下方に、第２保護シート部(23b)の領域５及び領域６が夫々配置されている。
【００４１】
第２実施例のベースシート体(20)を用いて埃取り具を作製する工程は、例えば、以下の通りである。まず、第１保護シート部(23a)の領域１−１と、第２保護シート部(23b)の領域１−２とを除去して、粘着層(21a)(21b)を部分的に露出させる。そして、ベースシート体(20)を曲げて、第１保護シート部(23a)の領域１−１の下にあった粘着層(21a)の領域と、第２保護シート部(23b)の領域１−２の下にあった粘着層(21b)の領域とを貼り合わせて、接合する。次に、第１保護シート部(23a)が山側になるように、第１保護シート部(23a)のミシン目(25d)(又は第２保護シート部(23b)のミシン目(27a))に沿ってベースシート体(20)に折り目を付け、さらに、第１保護シート部(23a)が山側になるように、第１保護シート部(23a)のミシン目(25b)(又は第２保護シート部(23b)のミシン目(27c))に沿ってベースシート体(20)に折り目を付けることで、埃取り具(10)が完成する。なお、これら工程の順序は、変更されてよい。
【００４２】
図９及び図１０に示すベースシート体(20)を用いて作製された埃取り具は、以下のように再構成される。まず、第１保護シート部(23a)のミシン目(25d)に沿ってベースシート体(20)に形成された折り目に沿って埃取り具を裂いた後、帯状にされた埃取り具を曲げて、第１保護シート部(23a)の領域４−１及び領域４−２に覆われていた粘着層(21a)の領域を貼り合わせて、接合する。そして、他方の折り目の両側の部分に力を加えて、第２保護シート部(23b)が山側になるようにその折り目を再形成する。これにて、表裏が反転した埃取り具が再構成される。第２実施例のベースシート体(20)を用いて作製された埃取り具に関するその他の事項については、第１実施例の埃取り具(10)に関する説明から理解できることから、説明を省略する。
【００４３】
図２及び図３に示した第１実施例の埃取り具(10)に係るベースシート体(20)は、そのままの状態で使用者に供給されて、使用者によって埃取り具(10)が作製されてもよい。図９及び図１０に示した第２実施例に係るベースシート体(20)についても同様である。なお、第１保護シート部(23a)の各領域と、第２保護シート部(23b)の各領域とには、取り除く順番を示す番号が付されているのか好ましいであろう。
【００４４】
上記の実施例では、第１及び第２保護シート部(23a)(23b)の各々は、１枚のシート状の部材で構成されており、複数のミシン目を形成することで、個別に剥離可能な領域に区分されている。しかしながら、第１及び第２保護シート部(23a)(23b)の各々は、これらの区分に切断又は分断されていてもよい。例えば、第１保護シート部(23a)は、領域１−１、領域２、領域３、領域４−１及び領域４−２に夫々対応した５枚のシート状の部材で構成されていてもよい。
【００４５】
上記の実施例において、埃等を付着させる粘着層(21a)の領域を保護する第１保護シート部(23a)の領域２及び領域３は、一体にされてもよい(つまり、図２(ａ)又は図９(ａ)のミシン目(25b)が無くなる)。或いは、第２保護シート部(23a)の領域２又は領域３は、２以上の領域にさらに区分されてもよい(例えば、領域２又は領域３にミシン目が追加される)。第２保護シート部(23b)の領域５及び領域６についても、同様である。
【００４６】
上記実施例の説明は、本考案を説明するためのものであって、実用新案登録請求の範囲に記載の考案を限定し、或いは範囲を減縮する様に解すべきではない。また、本考案の各部構成は上記実施例に限らず、実用新案登録請求の範囲に記載の技術的範囲内で種々の変形が可能であることは勿論である。
【符号の説明】
【００４７】
(10)   埃取り具
(11a)(11b)  折り目
(20)   ベースシート体
(21a)(21b)  粘着層
(23a)  第１保護シート部
(23b)  第２保護シート部
(25a-d)  ミシン目
(27a-d)  ミシン目
【図１】
0003187306.tif 000003
【図２】
0003187306.tif 000004
【図３】
0003187306.tif 000005
【図４】
0003187306.tif 000006
【図５】
0003187306.tif 000007
【図６】
0003187306.tif 000008
【図７】
0003187306.tif 000009
【図８】
0003187306.tif 000010
【図９】
0003187306.tif 000011
【図１０】
0003187306.tif 000012